(57)【要約】      （修正有）【課題】ケーブル等を使用して電源を供給することが困難な電子製品であっても、容易に電源を供給することができるモバイルバッテリーを提供する。【解決手段】モバイルバッテリーは、背板３が背面１２の上縁部に枢接され、背板は第１の位置と第２の位置の間で移動でき、第１の位置で背面と相対して第１の角度を呈し、第２の位置で背面側に折り畳まれる。充電モジュール４はメインボディ１内に位置し、電池と、メインボディから露出する入力端子４２と、環壁に位置する出力端子と、変換回路を備え、変換回路は入力端子からの電力を変換して電池或いは出力端子に出力する。また、変換回路は電池に蓄電された電力を変換して出力端子に出力する。【選択図】図１
0003229782.tif 000002
【実用新案登録請求の範囲】
【請求項１】
メインボディと、電子製品を収容可能な充電スロットと、背板と、充電モジュールを備え、
前記メインボディは、正面と、前記正面と相対する背面と、前記正面と前記背面を連接する側面を備え、
前記充電スロットは前記背面に位置し、前記充電スロットには内側へ凹んだ環壁が設けられ、前記環壁の内部には収容空間が形成され、
前記背板は前記背面の上縁部に枢接され、前記背板は第１の位置と第２の位置の間で移動することができ、
前記背板は前記第１の位置で前記背面と相対して第１の角度を呈し、且つ前記背板は前記第２の位置で前記背面側に折り畳まれ、
前記充電モジュールは前記メインボディ内に位置し、
前記充電モジュールは、
電池と、
前記メインボディから露出する入力端子と、
前記環壁に位置する出力端子と、
前記電池、前記入力端子、及び前記出力端子に電気的に接続可能な変換回路を備え、
前記変換回路は前記入力端子からの電力を変換して前記電池或いは前記出力端子に出力するために用いられ、
前記変換回路は前記電池に蓄電された前記電力を変換して前記出力端子に出力する
ことを特徴とするモバイルバッテリー。
【請求項２】
前記モバイルバッテリーは、更に第１のジョイントを具備する第１のケーブルと、第２のジョイントを具備する第２のケーブルを備え、
前記第１のケーブルと前記第２のケーブルは前記充電モジュールと電気的に接続され、
前記側面には、前記第１のケーブルと前記第２のケーブルをそれぞれ収納するための２個のサイドスロットが形成される
ことを特徴とする請求項１に記載のモバイルバッテリー。
【請求項３】
前記２個のサイドスロットは前記メインボディにおける異なる側に位置し且つ互いに対称となるように設けられる
ことを特徴とする請求項２に記載のモバイルバッテリー。
【請求項４】
前記第１のケーブルと前記第２のケーブルをそれぞれ覆うための２個のサイドカバーを備え、
前記２個のサイドカバーの位置は前記２個のサイドスロットの位置に対応する
ことを特徴とする請求項３に記載のモバイルバッテリー。
【請求項５】
前記第１のジョイントはタイプＣコネクタが含まれ、前記第２のジョイントはライトニングコネクタが含まれる
ことを特徴とする請求項２に記載のモバイルバッテリー。
【請求項６】
前記充電モジュールの前記入力端子は前記側面に位置する
ことを特徴とする請求項１に記載のモバイルバッテリー。
【請求項７】
前記充電モジュールはワイヤレス充電コイルを更に備え、
前記ワイヤレス充電コイルは前記変換回路に電気的に接続され且つ前記正面に対応するように設けられ、
前記変換回路は前記電池に蓄電された前記電力或いは前記入力端子からの電力を変換して前記ワイヤレス充電コイルに出力する
ことを特徴とする請求項１に記載のモバイルバッテリー。
【請求項８】
前記モバイルバッテリーは受け板を更に備え、前記受け板は前記正面の下縁部に枢接され、前記受け板は第３の位置と第４の位置の間で移動することができ、前記受け板は前記第３の位置で前記正面と相対して第２の角度を呈し、且つ受け板は前記第４の位置で前記正面側に折り畳まれる
ことを特徴とする請求項１に記載のモバイルバッテリー。
【請求項９】
前記正面には前記受け板を収納するための受け板空間が形成され、前記受け板は前記第４の位置で前記受け板空間に収容され、且つ前記正面の前記受け板空間の入り口には正面指用凹部が形成される
ことを特徴とする請求項８に記載のモバイルバッテリー。
【請求項１０】
前記側面の下縁に位置する受け板を更に備え、
前記受け板は第３の位置と第４の位置の間で移動することができ、
前記受け板は、
前記第３の位置で前記側面と前記正面から突出し、
配置空間を具備するサポート構造を構成するのに用いられ、且つ
前記受け板は前記第４の位置で前記側面に収容される
ことを特徴とする請求項１に記載のモバイルバッテリー。
【請求項１１】
前記側面の前記下縁と、前記正面の下縁部の間の境界には前記受け板を収納するための受け板空間が形成され、且つ前記受け板は前記第４の位置で前記受け板空間に収容される
ことを特徴とする請求項１０に記載のモバイルバッテリー。
【請求項１２】
前記環壁は前記収容空間の入り口に背面指用凹部を備える
ことを特徴とする請求項１に記載のモバイルバッテリー。
【請求項１３】
前記メインボディは仕切りを備え、
前記仕切りは前記収容空間の中央に位置し且つ前記環壁に連接される
ことを特徴とする請求項１に記載のモバイルバッテリー。
【請求項１４】
前記背板の面積は前記収容空間の断面積より大きく、
前記背板は前記第１の位置で前記収容空間を前記背面から露出させるのに用いられると共に、前記メインボディを支え面に支え、
且つ前記背板は前記第２の位置で前記収容空間を覆うように前記背面側に折りたたまれる
ことを特徴とする請求項１に記載のモバイルバッテリー。
【考案の詳細な説明】
【技術分野】
【０００１】
本考案はモバイルバッテリーに関し、特に、ケーブル等を使用して電源を供給することが困難な電子製品であっても、容易に電源を供給することができるモバイルバッテリーに関する。
【背景技術】
【０００２】
ワイヤレスヘッドホン、携帯電話、タブレットコンピューター、デジタルカメラ等の各種のポータブルタイプの電子製品には一般に充電式のリチウム電池が用いられる。一般に、充電式のリチウム電池は、軽くて薄く、経済的で環境に悪影響が少ない電池である。また、リチウム電池は充電が切れると再び充電しなければ使用できないが、この際は屋内の商用電源のコンセントから変圧器を用いて充電可能な所定の電位に変圧してリチウム電池を充電する。一方、屋外にいて充電するための電源がない場合には、持ち運び可能なモバイルバッテリーによって充電を行う必要がある。
【考案の概要】
【考案が解決しようとする課題】
【０００３】
一般的なモバイルバッテリーは、ケーブルやＵＳＢコネクタ等を介して電子製品に接続され、変圧回路を介して必要とされる電力に変換してからポータブルタイプの電子製品に出力されるが、ワイヤレスヘッドホン等の小型のポータブルタイプの電子製品の場合にはケーブルやＵＳＢコネクタを介した接続では物理的な制限が生ずる。
【０００４】
本考案は、この問題を解決するため、ケーブル等を使用して電源を供給することが困難な体積が小さい電子製品であっても、容易に電源を供給することができるモバイルバッテリーを提供することを目的とする。
【課題を解決するための手段】
【０００５】
本考案は、このような問題に鑑みて以下の構成を備える。
【０００６】
メインボディと、電子製品を収容可能な充電スロットと、背板と、充電モジュールを備え、
前記メインボディは、正面と、前記正面と相対する背面と、前記正面と前記背面を連接する側面を備え、
前記充電スロットは前記背面に位置し、前記充電スロットには内側へ凹んだ環壁が設けられ、前記環壁の内部には収容空間が形成され、
前記背板は前記背面の上縁部に枢接され、前記背板は第１の位置と第２の位置の間で移動することができ、
前記背板は前記第１の位置で前記背面と相対して第１の角度を呈し、且つ前記背板は前記第２の位置で前記背面側に折り畳まれ、
前記充電モジュールは前記メインボディ内に位置し、
前記充電モジュールは、
電池と、
前記メインボディから露出する入力端子と、
前記環壁に位置する出力端子と、
前記電池、前記入力端子、及び前記出力端子に電気的に接続可能な変換回路を備え、
前記変換回路は前記入力端子からの電力を変換して前記電池或いは前記出力端子に出力するために用いられ、
前記変換回路は前記電池に蓄電された前記電力を変換して前記出力端子に出力する。
【考案の効果】
【０００７】
本考案の効果は、以下の通りである。本考案の実施形態によるモバイルバッテリーは、メインボディに充電スロットを備え、充電スロットは背面に位置し、充電スロットには内側へ凹んだ環壁が設けられ、環壁の内部には電子製品を収容可能な収容空間が形成されると共に、環壁には出力端子が設けられるので、移動しながら充電する場合でも電子製品をより安定して保持し得る。
【０００８】
よって、充電時に安定した電気的な接触が得られ、移動中の揺れや落下によっても接触不良によって充電不足が生じにくい。
【図面の簡単な説明】
【０００９】
【図１】本考案の第１の実施形態を示すモバイルバッテリーの斜視図である。
【図２】図２Ａと図２Ｂは第１の角度で見た第１の実施形態の斜視図である。
【図３】図３Ａは第２の角度で見た第１の実施形態の斜視図であり、図３Ｂは充電モジュールの機能ブロック図である。
【図４】本考案の第２の実施形態を示すモバイルバッテリーの斜視図である。
【図５】本考案の第３の実施形態を示すモバイルバッテリーの斜視図である。
【図６】本考案の第４の実施形態を示すモバイルバッテリーの斜視図である。
【図７】本考案の第５の実施形態を示すモバイルバッテリーの斜視図である。
【考案を実施するための形態】
【００１０】
本考案の構造と動作原理を以下の図面を参照して説明する。
【００１１】
本実施形態では、本考案の理解の容易のために、多くの具体的な構成を挙げて説明しているが、本考案は、これらの構成の一部を省略しても実施することができる場合がある。また、以下の説明における符号は、実際の部品のサイズや寸法を意味するものではなく、簡略化のための一部の構成の記載を省略している場合がある。
【００１２】
図１〜図３を参照して本考案の第１の実施形態を説明する。ここで、図１は、本考案の第１の実施形態を示すモバイルバッテリーの斜視図である。また、図２Ａと図２Ｂは、第１の角度で見た第１の実施形態の斜視図であり、図３Ａは、第２の角度で見た第１の実施形態の斜視図であり、図３Ｂは、充電モジュールの機能ブロック図である。
【００１３】
図１から図３Ｂに示す通り、この第１の実施形態では、モバイルバッテリーは、メインボディ１、充電スロット２、背板３、及び充電モジュール４を備える。メインボディ１は、正面１０と、背面１２と、側面１４とを有する。 背面１２は、正面１０に対向して配置されており、側面１４は、正面１０と背面１２とを連接するように設けられる。
【００１４】
メインボディ１は、略直方体に形成されており、その結果、正面１０は略長方形であり、背面１２は、側面１４を介して正面１０と対向するように位置し、正面と平行となる長方形に形成される。なお、メインボディ１は、組み立て式であっても、一体形成されたハウジングであってもよく、充電モジュール４は、後述するように内部に設けられる。
【００１５】
図２に示すように、充電スロット２は、背面１２に凹接される。充電スロット２は、凹状の環壁２０を有し、環壁２０は、内部に収容空間２２が形成される。また、充電スロット２は、収容空間２２によってポータブルタイプの電子製品を収容することができる。電子製品は、例えばワイヤレスイヤホン又はスマートウォッチ等の小さなウェアラブル（身に着けられる）電子製品でも差し支えない。ここで、収納される電子製品のサイズは、メインボディ１のサイズよりも小さい。
【００１６】
この実施形態では、充電スロット２は、一対のワイヤレスヘッドホンを収容するために使用される。背面１２は平面であり、環壁２０がこの平面よりもメインボディ１の内側に向かって延伸することにより、凹状の環壁２０を形成している。
【００１７】
環壁２０は、収容空間２２を画成するために、垂直な側壁、傾斜した側壁、弧状の側壁、又はそれらを組み合わせて形成される。第１の実施形態では、充電スロット２は、収納される電子製品の外形に対応した同一形状の外形を有する楕円形スロット、半円形スロット、正方形スロットであり得るが、これらに限定されない。
【００１８】
つまり、収容空間２２の形状は、電子製品の外観と一致する。換言すれば、環壁２０は、収納される電子製品の形状に適合するように形作られている。このことから、充電スロット２の形状を収納される電子製品の形状と一致させることにより、充電スロット２に収納した際に、収納の安定性を高めることができ、移動しながら充電したときでも、電子製品の収納の安定性が高く、充電時の電気的な接触がより確実に得られる。
【００１９】
背板３は、図１に示すように、背面１２の上縁部１２０に枢動可能に接続され、背板３は上縁部１２０を支点として、第１の位置Ｐ１（図１及び図２Ａを参照）と、第２の位置Ｐ２（図２Ｂを参照）の間で回転可能である。
【００２０】
本実施形態で説明する上縁部１２０は、背面１２と側面１４の間の境界線上、又は収容空間２２の上側と側面１４の境界における任意の位置とすることができる。例を挙げると、上縁部１２０を突起させるようにすれば、背板３を開くように動かす際に、背板３が図１に示す入力端子４２に接続されたプラグやこのプラグに接続されたケーブルと干渉することを避けられる。なお、入力端子４２と隣り合う背板３の縁部を内側に凹ませ又は切り欠きを設けることにより干渉を避けても良い。
【００２１】
ユーザーが背板３を開いたとき、図１に示すように、背板３は、第１の位置Ｐ１に移動し、且つ背板３は、第１の位置Ｐ１で背面１２と相対し、背板３は、背面１２に対して第１の角度Ａ１となる。ここで、メインボディ１の正面１０は、携帯電話、タブレットコンピューター等のモバイル機器を支持できる。なお、ユーザーが携帯電話等を傾けて見る際の角度を調整する方法は後述する。 
【００２２】
ユーザーが背板３を閉じると、背板３は、第２の位置Ｐ２に移動し、メインボディ１の背面１２に当接するように折り畳まれ、モバイルバッテリーが占有するスペースを小さくでき、ユーザーによる携帯が容易となる。要するに、背板３を回転させて、メインボディ１の傾斜角度を調整することにより、携帯電話等のモバイル機器のスタンドとしても機能させることができる。
【００２３】
図３Ａに示すように、充電モジュール４は、メインボディ１の内部に設けられる。ここで、充電モジュール４は、電池４０、入力端子４２、出力端子４４、変換回路４６を備える。変換回路４６は、図３Ｂに示すように、電池４０、入力端子４２、及び出力端子４４と電気的に接続される。
【００２４】
この実施形態では、電池４０は、リチウム電池等の蓄電池であっても差し支えない。また、電池４０の数は、図３Ａに示すように、２個の電池４０を、収容空間２２の長手方向の両サイドに対称的に配置しても良い。なお、収容空間２２が背面１２の縁に分布している場合、電池４０の位置を適宜調整しても良い。
【００２５】
入力端子４２は、外部のケーブルが接続されたプラグを使用して外部電源に接続するのを容易にするために、メインボディ１から露出している。入力端子４２は、外部からの電力供給を受けるのに用いられ、例えば、変圧器を具備する電源ラインの一端を入力端子４２に接続すると共に他端側を商用電源に接続したり、コンピュータ等のＵＳＢ端子に図示しないケーブルを介して接続したりするために用いられる。本実施形態では、入力端子４２は、ＵＳＢインターフェース、タイプＣ（Ｔｙｐｅ-Ｃ）コネクタ、又はライトニング（Ｌｉｇｈｔｎｉｎｇ）コネクタであり得るが、それらに限定されない。
【００２６】
出力端子４４は、充電スロット２の環壁２０上に配置され、充電スロット２が電子製品を収容しているとき、電子製品の端子に電気的に接続される。例えば、出力端子４４は、導電性の接続点であり、充電スロット２が電子製品を収容するとき、導電性の接続点は電子製品の端子と当接し、その結果、出力端子４４は、電子製品に電気的に接続される。なお、他の実施形態としては、出力端子４４は、複数の弾性を有する金属製の端子であってもよく、またこれらは、縦方向又は水平方向に互いに間を開けて配列されていても良い。
【００２７】
充電スロット２が電子製品を収容するとき、これら弾性を有する金属製の端子は、電子製品の導電性の接続点に押圧力を加えるので確実に当接することができる。なお、他の実施形態としては、出力端子４４は、充電スロット２の環壁２０に加えて、充電スロット２の底部に埋め込まれてもよい。
【００２８】
変換回路４６は、メインボディ１の内部に配置されている。本実施形態では、変換回路４６は、例えば、プリント回路基板回路に電子部品が実装されることにより構成される。本実施形態では、変換回路４６は、例えば電圧変換器である。
【００２９】
モバイルバッテリーの入力端子４２が外部の電源に接続されると、入力端子４２には外部電力が供給され、この供給された外部電力を変換回路４６が、電池４０が必要とする充電電圧に変圧して電池４０に出力することにより、電池４０を充電する。
【００３０】
他の方法としては、変換回路４６が入力端子４２から供給された外部電源の電圧を電子製品が必要とする充電電圧に変換して、出力端子４４を介して電子製品に供給して電子製品を充電することが挙げられる。
【００３１】
ただし、モバイルバッテリーの入力端子４２が外部の電源に接続されていない場合、変換回路４６は、電池４０に蓄電された電力を電子機器が必要とする充電電圧に変換して出力端子４４に出力して電子機器を充電する。
【００３２】
一般に、変換回路４６は、入力端子４２からの電力を変換して電池４０又は出力端子４４に出力することができ、電池４０に蓄電された電力を出力端子４４に出力することもできる。
【００３３】
例えば、ワイヤレスヘッドホン等の電子製品が充電スロット２に収納されている場合、変換回路４６は、電池４０から電力が供給され、これを適切な電圧の電力に変換する。そして、環壁２０の出力端子４４から充電スロット２内の電子製品に電力を供給する。
【００３４】
上記の構成によれば、モバイルバッテリーは、充電スロット２の収容空間２２及び環壁２０に設けられた出力端子４４を介して電子製品を安定して収容して充電できる。
【００３５】
そして、本考案によるモバイルバッテリーは、移動しながら充電する場合でも、電子製品をより安定して保持するので、モバイルバッテリーが揺れたり落下したりした場合であっても十分な電気的接触が得られて安定して充電することができる。その結果、ワイヤレスヘッドホン等の特に小型の電子製品の場合は、ケーブルを介した充電がやり難いという問題を改善し、同時に電子機器をコンパクトに収納できて簡単に充電することができる。
【００３６】
本実施形態では、背板３の面積は、収容空間２２の断面積よりも大きい。すなわち、背板３の面積は、背面１２に形成された充電スロット２の開口部のサイズよりも大きい。背板３は、図１に示す第１の位置Ｐ１で背面１２から収容空間２２を露出させるためのものであり、このように露出させたとき、メインボディ１をテーブル等の支え面に支えることができる。
【００３７】
図示しないテーブル等の支え面に立たせるように支持することもできる。背板３は、収容空間２２を覆うように第２の位置Ｐ２で背面１２に隣り合うように折り畳まれる。具体的には、ユーザーが背板３を開いて、背板３が第１の位置Ｐ１に移動したとき、背面１２と背板３のなす角は、第１の角度Ａ１となり、このとき、背板３は、メインボディ１の支持体として機能する。
【００３８】
また、メインボディ１の正面１０には、携帯電話、タブレットコンピューター、又はポータブルタイプのマルチメディアプレーヤー等のモバイル機器を立て掛けることができ、背面１２と背板３のなす角を調整することにより、ユーザーは、モバイル機器を見る角度を容易に調整することができる。
【００３９】
ユーザーが背板３を閉じると、背板３は、第２の位置Ｐ２に移動し、メインボディ１の背面１２に当接するように折り畳まれる。ここで、背板３は、折り畳まれたときに背面１２の充電スロット２の開口を覆うため、電子製品をより安定して収容することができる。本実施形態では、背板３が、背面１２と上側の側面１４との間の境界線上に枢動可能に接続されるとき、背板３と背面１２の表面積は、略一致する。
【００４０】
一方、背板３が、上側の側面１４よりもやや背面１２の下よりに枢動可能に接続されている場合、背板３の面積は、背面１２の面積よりも小さくなるが、その場合でもなお充電スロット２の入口を完全に覆うことが必要なので、収容空間２２の断面積よりも大きくすることが必要であり、これにより、電子製品を安定して収納して、充電時の電気的な接続の安定性が向上する。
【００４１】
図４を参照して説明する。ここで、図４は、本考案の第２の実施形態を示すモバイルバッテリーの斜視図である。モバイルバッテリーは、第１のケーブル５０と第２のケーブル５２を更に含む。第１のケーブル５０及び第２のケーブル５２は、充電する必要があるモバイル機器に電力を出力するために使用される。ここで、第１のケーブル５０及び第２のケーブル５２は、メインボディ１の外部に延伸している。第１のケーブル５０は、メインボディ１とは反対側の開放端に第１のジョイント５００を備え、第２のケーブル５２は、メインボディ１とは反対側の開放端に第２のジョイント５２０を有する。
【００４２】
第１のケーブル５０の一端と第２のケーブル５２の一端は、充電モジュール４の変換回路４６に電気的に接続され、第１のケーブル５０及び第２のケーブル５２の一端は、メインボディ１の内部からメインボディ１を貫通するように設けられ、第１のケーブル５０の開放端及び第２のケーブル５２の開放端は、本メインボディ１の外部に露出している。
【００４３】
第１のケーブル５０の開放端には第１のジョイント５００が設けられ、第１のジョイント５００は、充電されるモバイル機器との接続に使用される。第２のケーブル５２の開放端には第２のジョイント５２０が設けられ、第２のジョイント５２０は、充電されるモバイル機器と接続するために使用される。
【００４４】
この構成によれば、充電しようとする外部のモバイル機器の対応するインターフェースを、第１のジョイント５００又は第２のジョイント５２０に電気的に接続することができる。このとき、変換回路４６は、入力端子４２又は電池４０からの電力を変換する。このようにして変換された電力は、出力端子４４から充電スロット２内の電子製品に供給することができ、加えて、第１のジョイント５００と第２のジョイント５２０の少なくともいずれか一つから外部のモバイル機器に出力して充電することもできる。
【００４５】
本実施形態では、第１のジョイント５００と第２のジョイント５２０は、同じ仕様の物であっても異なった仕様の物でも差し支えない。第１のジョイント５００の仕様は、ＵＳＢ出力インターフェースであるが、例えばタイプＣ（ｔｙｐｅ−Ｃ）、タイプＡ（ｔｙｐｅ−Ａ）、マイクロＢ（Ｍｉｃｒｏ−Ｂ）コネクタ仕様等であっても良く、これらには限られない。
【００４６】
第２のジョイント５２０仕様は、ライトニング（Ｌｉｇｈｔｎｉｎｇ）コネクタ仕様であり得る。更に、充電される外部のモバイル機器は、携帯電話、タブレットコンピューター、ポータブルタイプのマルチメディアプレーヤー等であっても良い。
【００４７】
このようにして、モバイルバッテリーは、異なる仕様のモバイル機器を同一の工程で充電できる。これは、充電用として単一仕様のコネクタしか備えない従来のモバイルバッテリーとは異なる。
【００４８】
例えば、第１のジョイント５００は、アンドロイドのモバイルデバイスを充電するのに適したＣ形コネクタであり、第２のジョイント５２０は、アップルのモバイルデバイスを充電するのに適したライトニングコネクタであっても良い。
【００４９】
本実施形態では、メインボディ１の側面１４には、第１のケーブル５０と第２のケーブル５２をそれぞれ受け入れるための２個のサイドスロット１４０、１４２が形成される。例えば、第１のジョイント５００に適合する仕様のインターフェースを備えた外部のモバイル機器を充電する場合、第１のジョイント５００をサイドスロット１４０から取り出してモバイル機器に電気的に接続し、充電が完了した後に、第１のジョイント５００をサイドスロット１４０に収納する。
【００５０】
第２のジョイント５２０に適合する仕様のインターフェースを備えた外部のモバイル機器を充電する場合、第２のジョイント５２０は、サイドスロット１４２から取り出され、モバイル機器に電気的に接続して充電が行われる。そして、充電が完了すると、第２のケーブル５２は、サイドスロット１４２に再び収容される。
【００５１】
例示的な実施形態では、２個のサイドスロット１４０、１４２は、メインボディ１の異なる側（つまり、長手方向における両端部に互いに離間するように配置される）に位置し、互いに対称的に配置され、これにより、第１のケーブル５０、第２のケーブルが絡まりにくく、更に、互いに邪魔にならないので収納も便利である。
【００５２】
この実施形態では、２個のサイドスロット１４０、１４２は、メインボディ１の異なる側の側面１４をそれぞれ取り囲んでいる。例えば、２個のサイドスロット１４０、１４２は、側面１４の下縁から長手方向の両端の側縁を経て上縁まで延伸する。
【００５３】
そして、第１のケーブル５０と第２のケーブル５２は、側面１４の下縁に一端が接続され、開放端である他端はメインボディ１の外部に延伸する。また、第１のケーブル５０と第２のケーブル５２の長さはサイドスロット１４０、１４２に対応する長さに形成され、その結果、側面１４の下縁から長手方向の両端の側縁を介して上端まで巻き付けるように、第１のケーブル５０、第２のケーブル５２をサイドスロット１４０、１４２内に収容することができる。
【００５４】
その際、第１のジョイント５００、第２のジョイント５２０は、突出することがなく側面１４の上縁に形成される２個のサイドスロット１４０、１４２内に収容される。このように、側面１４のサイドスロット１４０、１４２は、第１のケーブル５０及び第２のケーブル５２のすべての構成を外部へ突出させずに完全に収容することができ、その結果、モバイルバッテリーの全体的な外観は凹凸が少なくより洗練された形状となる。
【００５５】
本実施形態では、充電モジュール４の入力端子４２は、側面１４に配置されるが、詳細には、入力端子４２は、側面１４に埋め込まれるように設けられる。また、入力端子４２は、上縁に形成された２個のサイドスロット１４０、１４２の間に設けられる。よって、第１のケーブル５０等をサイドスロット１４０内に突出することなく収容することに加えて、入力端子４２をサイドスロット１４０が形成された位置を避けて、側面１４内に埋め込むように設けるので、スペースを有効活用でき、且つモバイルバッテリーは、全体として凹凸が少なく洗練された外観となる。
【００５６】
次に、図５を参照して説明する。ここで、図５は、本考案の第３の実施形態を示すモバイルバッテリーの斜視図である。この第３の実施形態では、環壁２０には、収容空間２２における上縁側に背面指用凹部２４が形成される。
【００５７】
すなわち、背面１２と環壁２０との間の境界には、背面１２から収容空間２２に向かうにつれて徐々に深さが増すように、メインボディ１の内側に凹んだ円弧状の曲面（すり鉢状）の背面指用凹部２４が形成される。
【００５８】
そのため、電子製品の輪郭の一部が背面指用凹部２４に露出するのでユーザーがワイヤレスヘッドホン等の電子製品を摘まんで取り出す際に容易に指を入れることができ、操作性が向上する。
【００５９】
本実施形態では、メインボディ１は、仕切り２６を更に有する。仕切り２６は、収容空間２２の中央に位置し、両端が環壁２０に接続される。仕切り２６は、左耳用と右耳用のワイヤレスイヤホンが互いに押し合い衝突しないようにするために収容空間２２を２個のサブ収容空間に分離する。このようにして、ワイヤレスイヤホンは安定して収容され、充電時に安定して出力端子４４との電気的な接触を得られる。
【００６０】
図６を参照して説明する。ここで、図６は、本考案の第４の実施形態を示すモバイルバッテリーの斜視図である。第４の実施形態では、モバイルバッテリーは、更に受け板７を備える。受け板７は、正面１０の下縁部１００に枢動可能に接続されている。 また、受け板７の枢接部と背板３の枢接部とは、対向する位置関係にある異なる側面１４にそれぞれ設けられている。ここで、受け板７は、第３の位置Ｐ３と第４の位置Ｐ４との間で移動可能である。受け板７は、第３の位置Ｐ３では正面１０に対して第２の角度Ａ２（第４の実施形態では正面１０に対して垂直）となる。
【００６１】
一方、受け板７は、受け板７の枢接部を回転軸として回転させると、受け板７の下縁部１００に枢接された端部とは反対側の端部が、第４の位置Ｐ４に移動して、受け板７が正面１０に当接するように折り畳まれる。
【００６２】
図６に示すように、背板３がメインボディ１を支持し得る第１の位置Ｐ１に開く際、正面１０の傾斜角度は、第１の角度Ａ１を調整することによって変更される。また、第３の位置Ｐ３に開いた受け板７は、受け板７と正面１０で配置空間を具備するサポート構造を形成するため、モバイル機器は、受け板７によって支えられつつ正面１０に寄りかかるようにして、受け板７と正面１０との間に保持される。また、ユーザーは、背板３を開いて第１の角度Ａ１を調整することにより、正面１０の傾斜角度を調整して、モバイル機器を見やすい位置に調整できる。
【００６３】
ここで、受け板７とメインボディ１の正面１０とによって形成されるサポート構造に加えて、背板３とメインボディ１の背面１２との間の角度を調節することによって、ユーザーがモバイル機器を見る際の角度を調整することができ、人間工学的にも好ましく、ユーザーの健康増進と肩や首の疲労を軽減することができる。
【００６４】
本実施形態では、正面１０には、受け板７を収容するための受け板空間１０２を有する。受け板７は、図４に示すように第４の位置Ｐ４まで回転すると受け板空間１０２に収容される。また、メインボディ１の正面１０には、受け板空間１０２の入口に、受け板７を露出するために曲面状に形成された正面指用凹部１０４を有する。このため、ユーザーは、正面指用凹部１０４に指を入れて受け板７の端部を触って受け板７の枢接部を回転軸として回転させることにより、容易に受け板７を開くことができる。
【００６５】
本実施形態では、受け板空間１０２は、正面１０からメインボディ１内に凹んだ溝であり、溝の深さは、受け板７の端部を第４の位置Ｐ４まで回転させたときに、受け板７の厚さと略一致するように形成される。本実施形態における受け板空間１０２は、受け板７の外側の表面と正面１０とが面一の状態となるが、これには限定されない。
【００６６】
本実施形態では、充電モジュール４は、ワイヤレス充電コイル６を更に備える。ワイヤレス充電コイル６は、メインボディ１内に配置され、メインボディ１の正面１０に対応して配置されている。ワイヤレス充電コイル６は、変換回路４６に電気的に接続される。ワイヤレス充電コイル６は、正面１０に配置されて充電しようとするモバイル機器に電力をワイヤレスで供給するために使用される。
【００６７】
この構成によれば、変換回路４６が入力端子４２からの電力を変換し、変換された電力は、出力端子４４から充電スロット２内の電子製品に供給できる他、ワイヤレス充電コイル６を介して外付けされたモバイル機器に対しても電力を供給できる。更に、変換回路４６は、電池４０に蓄電された電力を変換し、ワイヤレス充電コイル６に出力して、モバイルデバイスを充電することもできる。
【００６８】
図７を参照して説明する。ここで、図７は、本考案の第５の実施形態を示すモバイルバッテリーの斜視図である。図７に示す第５の実施形態と図６に示す第４の実施形態との相違点は、受け板７が、側面１４の下縁と正面１０の下縁１００との間の境界線上に位置し、受け板７は、側面１４の下縁に対して、第３の位置Ｐ３と第４の位置Ｐ４との間で移動できる点にある。
【００６９】
この第５の実施形態によれば、受け板７の取り付け方向は、正面１０に対して垂直である。受け板７が第３の位置Ｐ３まで押し上げられるとき、受け板７は、側面１４の下縁をスライドして正面１０から突出する。そして、受け板７が第４の位置Ｐ４まで押し下げられるとき、受け板７は、側面１４の下縁に受け板７の全てが接するように、即ち、正面１０から受け板７の一部が突出しないように収容される。このとき、正面１０と受け板７の上側の端部が面一の状態となる。
【００７０】
上述のように、背板３を、メインボディ１の支持部材として機能するよう第１の位置Ｐ１に移動させて第１の角度Ａ１を調整すると共に、受け板７を第３の位置Ｐ３まで引き出すと、正面１０の傾斜角度を変化させることができ、且つ正面１０と受け板７との間にモバイル機器を当接し得る配置空間を具備するサポート構造を形成できるので、ユーザーは、モバイル機器を正面１０に保持しながら、正面１０の傾斜角度を好みに応じて変化させてモバイル機器を見る角度を調整し得る。
【００７１】
また、第５の実施形態では、側面１４の下縁と正面１０の下縁１００との間の接合部に受け板空間１０２が設けられる。すなわち、受け板空間１０２は、正面１０の下縁１００と側面１４の下縁とを連通している。
【００７２】
例えば、図７に示すように、受け板空間１０２は、側面１４の下縁からメインボディ１に凹む溝であり、溝の深さは、受け板７の厚さとほぼ同じである。受け板７が第４の位置Ｐ４に移動して受け板空間１０２に収容されると、受け板７の外表面は、側面１４の下縁と一致して側面の下縁と面一となる。更に、受け板７の全てが正面１０から突出することなく受け板７の上側（後述する矢印が向く方向）の端部が正面１０と面一となるが、これには限られない。
【００７３】
要するに、受け板７は、第３の位置Ｐ３と第４の位置Ｐ４との間で移動することができ、第３の位置Ｐ３の受け板７と正面１０によって、配置空間を具備するサポート構造を構成する。そして、受け板７は、第４の位置Ｐ４で側面１４の下縁に当接するように収容される。
【００７４】
図７に示すように、本実施形態では、受け板７の外表面には矢印のパターン等からなる滑りにくい領域が形成される。これは、本実施形態において矢印の向きは受け板７を開く方向を示し、ユーザーの指先と受け板７の表面との間で生ずる摩擦力を増加させる。よって、ユーザーは、素手でも簡単に受け板７をスライドさせて開けることができる。本実施形態では、受け板７は、側面１４の下縁にスライド可能に連接される。
【００７５】
図４と図７を併せて参照しながら説明する。本実施形態では、メインボディ１の側面１４には、第１のケーブル５０と第２のケーブル５２をそれぞれ覆うための２個のサイドカバー１４４、１４６を備える。サイドカバー１４４、１４６の位置は、２個のサイドスロット１４０、１４２の位置に対応する。また、２個のサイドカバー１４４、１４６は、それぞれ略コの字型に形成される。
【００７６】
例えば、２個のサイドカバー１４４、１４６は、２個のサイドスロット１４０、１４２、及び第１のケーブル５０、第２のケーブル５２に対応するように、且つ前記第１のケーブル５０、第２のケーブル５２を収容するように、メインボディ１の異なる側に互いに対称となるように配置される。
【００７７】
詳細には、２個のサイドカバー１４４、１４６は、それぞれ２個のサイドスロット１４０、１４２に対応する寸法と輪郭を有し、それぞれ側面１４の下縁から長手方向の両端の側縁を介して上縁まで延伸する。
【００７８】
したがって、第１のケーブル５０と第２のケーブル５２は、側面１４の下縁からメインボディ１の外側に延伸し、２個のサイドスロット１４０、１４２に巻き付けられて、その外側から２個のサイドカバー１４４、１４６で塞がれるようにしてメインボディ１の周囲に収容される。
【００７９】
本実施形態では、２個のサイドカバー１４４、１４６は、側面１４の２個のサイドスロット１４０、１４２の外側に取り外し可能に設けられ、且つ側面１４から突出せず、２個のサイドカバー１４４、１４６は２個のサイドスロット１４０、１４２を完全に覆うようにできる。
【００８０】
このように、２個のサイドカバー１４４、１４６は、２個のサイドスロット１４０、１４２を覆うので、側面１４の表面と一体化して、モバイルバッテリーの全体的な外観をよりシンプルにでき、更に、第１のケーブル５０、及び第２のケーブル５２を保護することができ、防塵の効果も得られる。
【００８１】
要約すると、本考案の実施形態によるモバイルバッテリーは、背面１２の充電スロット２の収容空間２２と、環壁２０上の出力端子４４を使用して、電子製品を安定して収容しながら充電することができる。
【００８２】
また、移動しながら充電する最中でも電子製品をより安定して保持し得るので、充電時に安定した電気的な接触が得られ、移動中の揺れや落下によっても接触不良によって充電不足が生じにくく、ケーブルを介した充電が難しいワイヤレスヘッドホン等の小型の電子製品であっても、充電スロット２によって密着して保持し得るので、プラグアンドプレイ充電の利便性を発揮し得る。
【００８３】
更に、本考案の実施形態によれば、モバイルバッテリーは、携帯電話、タブレットコンピューター、携帯情報端末（ＰＤＡ）等のモバイルデバイスのためにメインボディ１の正面１０のスペースを活用し得る。
【００８４】
更に、本考案の実施形態では、モバイルバッテリーは、受け板７とメインボディ１の正面１０によって配置空間を具備するサポート構造を構成し、加えて、背板３とメインボディ１の背面１２の間の第１の角度Ａ１を調整することにより、ユーザーがモバイルデバイスを見る角度を自分の好みに合わせて調整できるので、目や肩が疲れにくい。
【００８５】
また、本実施形態では、モバイルバッテリーは、内部にワイヤレス充電コイル６を備えるのでワイヤレスで充電することが可能である。更に、側面１４に設けられた第１のケーブル５０、又は第２のケーブル５２を接続することにより外部のモバイル機器も充電することができ、さまざまな方法による充電の環境を提供できる。
【００８６】
本考案のこれらの実施形態は例示に過ぎず、本考案の実質的な内容から逸脱しない限り、当業者は本考案に基づいて様々な改変や変形ができるが、これらの改変等を行った考案についても本考案の請求の範囲に含まれるものとする。
【符号の説明】
【００８７】
Ａ１    第１の角度
Ｐ１    第１の位置
Ｐ２    第２の位置
Ｐ３    第３の位置
Ｐ４    第４の位置
１      メインボディ
１０    正面
１００  下縁部
１０２  受け板空間
１０４  正面指用凹部
１２    背面
１２０  上縁部
１４    側面
１４０  サイドスロット
１４２  サイドスロット
１４４  サイドカバー
１４６  サイドカバー
２      充電スロット
２０    環壁
２２    収容空間
２４    背面指用凹部
２６    仕切り
３      背板
４      充電モジュール
４０    電池
４２    入力端子
４４    出力端子
４６    変換回路
５０    第１のケーブル
５２    第２のケーブル
５００  第１のジョイント
５２０  第２のジョイント
６      ワイヤレス充電コイル
７      受け板
【図１】
0003229782.tif 000003
【図２】
0003229782.tif 000004
【図３】
0003229782.tif 000005
【図４】
0003229782.tif 000006
【図５】
0003229782.tif 000007
【図６】
0003229782.tif 000008
【図７】
0003229782.tif 000009